(57)【要約】【課題】被着体に貼り付けられるＰＯＰラベルにおいて、ＰＯＰラベルの広告宣伝の機能が損なわれることを抑制又は防止できるようにする。【解決手段】シート状に形成されると共に、被着体２に貼り付けられる貼着部２１と、被着体２から突出するように配される突出部２２とが主面に沿う一方向に配列されたＰＯＰラベル３であって、一方向において突出部２２側に位置する貼着部２１の内側端部には、ＰＯＰラベル３の厚さ方向に貫通する挿通孔２５が形成され、挿通孔２５は、主面に沿って一方向に直交する直交方向に延びる細長状に形成されているＰＯＰラベル３を提供する。【選択図】図１
2020170076.tif 000002
【特許請求の範囲】
【請求項１】
シート状に形成されると共に、被着体に貼り付けられる貼着部と、前記被着体から突出するように配される突出部とが主面に沿う一方向に配列されたＰＯＰラベルであって、
前記一方向において前記突出部側に位置する前記貼着部の内側端部には、ＰＯＰラベルの厚さ方向に貫通する挿通孔が形成され、
前記挿通孔は、前記主面に沿って前記一方向に直交する直交方向に延びる細長状に形成されているＰＯＰラベル。
【請求項２】
請求項１に記載のＰＯＰラベルと、筒状に形成される容器と、を備え、
前記容器は、その軸方向の端部において径方向外側に張り出すフランジを有し、
前記ＰＯＰラベルは、前記フランジの一部が前記挿通孔に挿通された上で、前記貼着部が前記容器の外周面に貼り付けられることで、前記容器の取り付けられるＰＯＰラベル付き容器。
【請求項３】
前記容器は、筒状に形成された容器本体と、前記容器本体の軸方向の第一端部に着脱自在に取り付けられる蓋体と、を備え、
前記フランジは、少なくとも前記容器本体の第一端部に一体に形成され、
前記ＰＯＰラベルの前記貼着部は、前記軸方向において前記フランジの両側に位置する前記容器本体及び前記蓋体の外周面に貼り付けられる請求項２に記載のＰＯＰラベル付き容器。
【発明の詳細な説明】
【技術分野】
【０００１】
本発明は、ＰＯＰラベル及びこれを備えるＰＯＰラベル付き容器に関する。
【背景技術】
【０００２】
従来、一部分が容器の端部から突出するように容器に貼り付けられるラベルがある。このようなラベルでは、容器から突出するラベルの突出部位によって、商品の特徴やキャッチコピー、キャンペーン情報などを強調できる、すなわち、広告宣伝の機能を有する。このようなラベルは、一般にＰＯＰ（Point of purchase advertising）ラベルと呼ばれる。
特許文献１には、筒状に形成された容器の外周面にＰＯＰラベルを貼り付けたＰＯＰラベル付き容器が開示されている。
【先行技術文献】
【特許文献】
【０００３】
【特許文献１】特開２０１７−１６７２４６号公報
【発明の概要】
【発明が解決しようとする課題】
【０００４】
ところで、ＰＯＰラベルの貼り付け対象となる容器には、例えばチルドカップなどのように、容器の軸方向の端部（開口端部）に、容器の径方向外側に張り出すフランジを設けたものがある。
しかしながら、この種の容器に対し、ＰＯＰラベルがフランジを跨ぐように容器の外周面に貼着されると、容器の端部から突出するＰＯＰラベルの突出部位が、フランジによって折り曲げられてしまう。これにより、ＰＯＰラベルの突出部位は、容器の軸方向ではなく容器の径方向に延びてしまうため、広告宣伝の機能が損なわれてしまう。
【０００５】
本発明は、上述した事情に鑑みたものであって、広告宣伝の機能が損なわれることを抑制又は防止できるＰＯＰラベル及びこれを備えるＰＯＰラベル付き容器を提供することを目的とする。
【課題を解決するための手段】
【０００６】
この課題を解決するために、本発明のＰＯＰラベルは、シート状に形成されると共に、被着体に貼り付けられる貼着部と、前記被着体から突出するように配される突出部とが主面に沿う一方向に配列されたＰＯＰラベルであって、前記一方向において前記突出部側に位置する前記貼着部の内側端部には、ＰＯＰラベルの厚さ方向に貫通する挿通孔が形成され、前記挿通孔は、前記主面に沿って前記一方向に直交する直交方向に延びる細長状に形成されていることを特徴とする。
【０００７】
また、本発明のラベル付き容器は、前記ＰＯＰラベルと、筒状に形成される容器と、を備え、前記容器は、その軸方向の端部において径方向外側に張り出すフランジを有し、前記ＰＯＰラベルは、前記フランジの一部が前記挿通孔に挿通された上で、前記貼着部が前記容器の外周面に貼り付けられることで、前記容器の取り付けられることを特徴とする。
【発明の効果】
【０００８】
本発明によれば、ＰＯＰラベルの広告宣伝の機能が損なわれることを抑制又は防止できる。
【図面の簡単な説明】
【０００９】
【図１】本発明の第一実施形態に係るＰＯＰラベル付き容器を示す斜視図である。
【図２】図１のＰＯＰラベル付き容器の要部を示す断面図である。
【図３】本発明の第一実施形態に係るＰＯＰラベルを示す平面図である。
【図４】本発明の第二実施形態に係るＰＯＰラベル付き容器を示す斜視図である。
【図５】図４のＰＯＰラベル付き容器の要部を示す断面図である。
【図６】本発明の第二実施形態に係るＰＯＰラベルを示す平面図である。
【発明を実施するための形態】
【００１０】
〔第一実施形態〕
以下、図１〜３を参照して本発明の第一実施形態について説明する。
図１，２に示すように、本実施形態に係るＰＯＰラベル付き容器１は、容器２（被着体）と、ＰＯＰラベル３と、を備える。容器２は、筒状に形成され、フランジ１１を有する。フランジ１１は、容器２の軸方向（図１，２において上下方向）の端部において径方向外側に張り出す。
【００１１】
本実施形態の容器２は、容器本体１２と、膜状蓋１３と、を備える。
容器本体１２は、筒状に形成されている。具体的に、容器本体１２は、その軸方向の第一端部１２Ａが開口すると共に、軸方向の第二端部１２Ｂが閉じられたカップ形状（有底筒状）に形成されている。本実施形態において、容器２のフランジ１１は、容器本体１２の第一端部１２Ａに一体に形成されている。フランジ１１は、容器本体１２の第一端部１２Ａにおいて、容器本体１２の外周面から容器本体１２の径方向外側に張り出している。フランジ１１は、容器本体１２の第一端部１２Ａの周方向全体に形成されている。
【００１２】
膜状蓋１３は、樹脂フィルムやアルミニウムシートなどのようにフィルム状、シート状に形成されている。膜状蓋１３は、容器本体１２の第一端部１２Ａ及びフランジ１１に貼り付けられることで、容器本体１２の開口を閉塞する。飲料などの収容物が容器本体１２の内部に収容された状態で、膜状蓋１３が容器本体１２の開口を閉塞することにより、収容物を容器２内に密封できる。
膜状蓋１３のうち容器本体１２の周方向の一部には、フランジ１１よりも径方向外側に突出する開封用片１４が形成されている。開封用片１４は、膜状蓋１３を容器本体１２から取り外す際、すなわち容器２を開封する際に手指で把持する膜状蓋１３の部位である。
【００１３】
図１〜３に示すように、ＰＯＰラベル３は、シート状に形成されている。ＰＯＰラベル３は、容器２に貼り付けられる貼着部２１と、容器２から突出するように配される突出部２２と、を有する。貼着部２１と突出部２２とは、ＰＯＰラベル３の主面に沿う一方向（図３において上下方向）に配列されている。本実施形態では、貼着部２１と突出部２２とが、一方向に間隔をあけて配されている。なお、ＰＯＰラベル３の主面は、ＰＯＰラベル３の厚さ方向に直交する面である。ＰＯＰラベル３は、可撓性を有する。
【００１４】
ＰＯＰラベル３は、例えば基材フィルム２３の一方の主面に粘着層２４を形成して構成される。粘着層２４は、ＰＯＰラベル３を容器２に貼り付けるための部位であり、基材フィルム２３の一方の主面のうち少なくとも貼着部２１に対応する領域に形成される。粘着層２４は、容器２に貼り付けられない突出部２２に対応する領域には形成されないが、例えば形成されてもよい。
【００１５】
厚さ方向から見たＰＯＰラベル３の平面視形状は、例えば円形、正方形、楕円形など、任意であってよい。本実施形態におけるＰＯＰラベル３の平面視形状は、一方向（以下、縦方向Ｄ１と呼ぶ）の寸法が、厚さ方向及び縦方向Ｄ１に直交する横方向Ｄ２（直交方向）の寸法よりも大きい長方形である。
【００１６】
ＰＯＰラベル３には、その厚さ方向に貫通する挿通孔２５が形成されている。挿通孔２５は、縦方向Ｄ１において突出部２２側に位置する貼着部２１の内側端部２１Ａに形成されている。
本実施形態において、挿通孔２５は、貼着部２１と突出部２２との間に形成されている。挿通孔２５は、貼着部２１の内側端部２１Ａに接する。また、挿通孔２５は、縦方向Ｄ１において貼着部２１側に位置する突出部２２の内側端部２２Ａにも接する。
【００１７】
挿通孔２５は、横方向Ｄ２（ＰＯＰラベル３の主面に沿って一方向に直交する直交方向）に延びる細長状に形成されている。すなわち、挿通孔２５は、横方向Ｄ２の寸法（横寸法）が縦方向Ｄ１の寸法（縦寸法）よりも長い形状に形成されている。
【００１８】
挿通孔２５の横寸法は、ＰＯＰラベル３の横寸法よりも短い。また、横方向Ｄ２における挿通孔２５の両端は、横方向Ｄ２におけるＰＯＰラベル３の両端よりも内側に位置する。このため、ＰＯＰラベル３では、挿通孔２５によって縦方向Ｄ１に分けられた二つの部位が、横方向Ｄ２の両端部において互いに接続されている。言い換えれば、横方向Ｄ２における挿通孔２５の両側には、二つの部位を接続する一対の接続部２８が形成されている。
【００１９】
ＰＯＰラベル３の厚さ方向から見た挿通孔２５の平面視形状は、楕円形などであってよいが、本実施形態では長方形となっている。そして、長方形とされた挿通孔２５の各長辺が、それぞれ貼着部２１、突出部２２の内側端部２１Ａ，２２Ａに接している。
【００２０】
図１，２に示すように、ＰＯＰラベル３は、容器２のフランジ１１の一部がＰＯＰラベル３の挿通孔２５に挿通された上で、ＰＯＰラベル３の貼着部２１が容器２の外周面に貼り付けられることで、容器２に取り付けられる。本実施形態において、ＰＯＰラベル３の貼着部２１は、容器本体１２の外周面のみに貼り付けられる。
ＰＯＰラベル３を容器２に取り付けた状態において、挿通孔２５の横方向Ｄ２（図３参照）は、フランジ１１の長手方向（容器２の周方向）に一致する。また、ＰＯＰラベル３の一対の接続部２８は、フランジ１１のうち挿通孔２５に挿通された部分の両側に位置する。
ＰＯＰラベル３の突出部２２は、容器２の軸方向の端部に対して容器２の軸方向に隣り合わせて位置する。また、突出部２２は、容器２の軸方向の端部に対して容器２の軸方向（図２において上方）に突出する。
【００２１】
本実施形態のラベル付き容器２において、ＰＯＰラベル３の挿通孔２５には、フランジ１１の他に、容器本体１２に取り付けられた膜状蓋１３の一部も挿通される。具体的には、膜状蓋１３の開封用片１４がＰＯＰラベル３の挿通孔２５に挿通されている。
【００２２】
第一実施形態に係るＰＯＰラベル３及びＰＯＰラベル付き容器１によれば、容器２のフランジ１１をＰＯＰラベル３の挿通孔２５に通した上で、ＰＯＰラベル３の貼着部２１を容器２に貼り付けることで、ＰＯＰラベル３がフランジ１１に干渉することを抑制できる。これにより、ＰＯＰラベル３の突出部２２が、フランジ１１によって折り曲げられることを抑制又は防止できる。すなわち、ＰＯＰラベル３の突出部２２を、容器２からその軸方向に突出させることができる。したがって、ＰＯＰラベル３の広告宣伝の機能が損なわれることを抑制又は防止できる。
【００２３】
また、本実施形態に係るＰＯＰラベル付き容器１によれば、容器２に取り付けられたＰＯＰラベル３の挿通孔２５には、膜状蓋１３の開封用片１４が挿通されている。このため、開封用片１４を利用して容器本体１２から膜状蓋１３を取り外す際には、一対の接続部２８を破断し、ＰＯＰラベル３を貼着部２１と突出部２２とに分ける必要がある。すなわち、ＰＯＰラベル３を容器２の封印として利用することができる。例えば、ＰＯＰラベル付き容器１を購入する前に、膜状蓋１３が容器本体１２から取り外されることを効果的に抑制できる。
【００２４】
〔第二実施形態〕
次に、本発明の第二実施形態について、図４〜６を参照して、第一実施形態との相違点を中心に説明する。なお、第一実施形態と共通する構成については、同一符号を付し、その説明を省略する。
【００２５】
図４，５に示すように、本実施形態に係るＰＯＰラベル付き容器１Ｅは、第一実施形態と同様に、容器２Ｅ（被着体）と、ＰＯＰラベル３Ｅと、を備える。
本実施形態の容器２Ｅは、第一実施形態と同様の容器本体１２に加え、蓋体１５Ｅをさらに備える。また、本実施形態の容器２Ｅは、第一実施形態と同様の膜状蓋１３も備える。
【００２６】
蓋体１５Ｅは、容器本体１２の軸方向の第一端部１２Ａに着脱自在に取り付けられる。蓋体１５Ｅは、プラスチック製の蓋部材であり、容器本体１２の第一端部１２Ａ側（図５において下側）に開口する椀状に形成されている。本実施形態の蓋体１５Ｅは、底壁部１５Ｅ１と、底壁部１５Ｅ１の周縁から底壁部１５Ｅ１の厚さ方向に延びる周壁部１５Ｅ２と、を有する有底筒状に形成されている。底壁部１５Ｅ１は、容器本体１２の軸方向において容器本体１２の第一端部１２Ａに対向する。周壁部１５Ｅ２は、底壁部１５Ｅ１の周縁全体から容器本体１２に向けて延びる筒状に形成されている。
周壁部１５Ｅ２の延長方向の先端には、係止段部１６Ｅが設けられている。係止段部１６Ｅは、周壁部１５Ｅ２に対して径方向外側に張り出している。係止段部１６Ｅは、周壁部１５Ｅ２の周方向全体に形成されている。
【００２７】
係止段部１６Ｅの内側に、容器本体１２のフランジ１１（以下、第一フランジ１１と呼ぶ。）が嵌められることで、蓋体１５Ｅが容器本体１２に取り付けられる。この状態において、蓋体１５Ｅは、容器本体１２の開口（第一端部１２Ａ）だけではなく、容器本体１２の開口を閉塞する膜状蓋１３も覆う。
本実施形態において、径方向外側に張り出す容器２Ｅのフランジ１０Ｅは、容器本体１２の第一フランジ１１だけではなく、蓋体１５Ｅの係止段部１６Ｅ（第二フランジ）も含む。
【００２８】
図４〜６に示すように、ＰＯＰラベル３Ｅは、第一実施形態と同様に、平面視長方形のシート状に形成され、容器２Ｅに貼り付けられる貼着部２１Ｅと、容器２Ｅから突出するように配される突出部２２Ｅと、を有する。ＰＯＰラベル３Ｅの粘着層２４は、貼着部２１Ｅに形成され、突出部２２Ｅには形成されない。貼着部２１Ｅと突出部２２Ｅとは、第一実施形態と同様にＰＯＰラベル３Ｅの縦方向Ｄ１に並んでいるが、互いに間隔をあけずに配されている。
【００２９】
また、ＰＯＰラベル３Ｅには、第一実施形態と同様に、厚さ方向に貫通する挿通孔２５が形成されている。挿通孔２５の形状や、ＰＯＰラベル３Ｅの横方向Ｄ２における挿通孔２５の位置は、第一実施形態と同様である。
また、挿通孔２５は、第一実施形態と同様に、縦方向Ｄ１において突出部２２Ｅ側に位置する貼着部２１Ｅの内側端部２１ＥＡに形成されている。ただし、本実施形態のＰＯＰラベル３Ｅでは、挿通孔２５が、ＰＯＰラベル３Ｅの縦方向Ｄ１において、貼着部２１Ｅと突出部２２Ｅとの境界から貼着部２１Ｅ側に離れて位置している。このため、本実施形態の貼着部２１Ｅは、挿通孔２５によって縦方向Ｄ１に分けられた二つの貼着部２１Ｅ１，２１Ｅ２を含む。以下の説明では、突出部２２Ｅとの境界から離れて位置する貼着部２１Ｅ１を第一貼着部２１Ｅ１と呼ぶ。また、突出部２２Ｅとの境界の近くに位置する貼着部２１Ｅ２を第二貼着部２１Ｅ２と呼ぶ。
【００３０】
図４，５に示すように、本実施形態のＰＯＰラベル３Ｅは、第一実施形態と同様に、容器２Ｅのフランジ１０Ｅ（第一フランジ１１及び係止段部１６Ｅ）の一部がＰＯＰラベル３Ｅの挿通孔２５に挿通された上で、ＰＯＰラベル３Ｅの貼着部２１Ｅが容器２Ｅの外周面に貼り付けられることで、容器２Ｅに取り付けられる。ただし、本実施形態において、ＰＯＰラベル３Ｅの貼着部２１Ｅは、容器本体１２及び蓋体１５Ｅの外周面に貼り付けられる。具体的には、第一貼着部２１Ｅ１が容器本体１２の外周面に貼り付けられ、第二貼着部２１Ｅ２が蓋体１５Ｅ（周壁部１５Ｅ２）の外周面に貼り付けられる。
【００３１】
第二実施形態に係るＰＯＰラベル３Ｅ及びＰＯＰラベル付き容器１Ｅによれば、第一実施形態と同様の効果を奏する。
また、第二実施形態に係るＰＯＰラベル付き容器１Ｅによれば、ＰＯＰラベル３Ｅが容器本体１２と蓋体１５Ｅとに跨がるように容器２Ｅに取り付けられる。これにより、容器２ＥをＰＯＰラベル３Ｅによって封緘することができる。すなわち、ＰＯＰラベル３Ｅを容器２Ｅの封印として利用できる。そして、蓋体１５Ｅを容器本体１２から取り外す際には、ＰＯＰラベル３Ｅが、容器本体１２に貼り付けた部位（第一貼着部２１Ｅ１）と蓋体１５Ｅに貼り付けた部位（第二貼着部２１Ｅ２及び突出部２２Ｅ）とに分けられる。これにより、蓋体１５Ｅが容器本体１２から取り外されて容器２Ｅが開封されたことを容易に確認することができる。
【００３２】
以上、本発明の詳細について説明したが、本発明は上述した実施形態に限定されるものではなく、本発明の趣旨を逸脱しない範囲において種々の変更を加えることができる。
【００３３】
本発明のＰＯＰラベル付き容器において、ＰＯＰラベルを取り付ける容器や容器本体は、円筒状に限らず、例えば多角形の筒状に形成されてもよい。また、容器本体は、例えば椀状に形成されてもよい。
【００３４】
本発明のＰＯＰラベルは、フランジを有する容器に限らず、任意の被着体に貼り付けられてよい。本発明のＰＯＰラベルは、例えば被着体の外面から突出する突起部を有する被着体の外面に貼り付けられてよい。この場合、被着体の突起部をＰＯＰラベルの挿通孔に挿通させた上で、ＰＯＰラベルを被着体の外面に貼り付けることができる。
【符号の説明】
【００３５】
１，１Ｅ  ＰＯＰラベル付き容器
２，２Ｅ  容器（被着体）
３，３Ｅ  ＰＯＰラベル
１０Ｅ  フランジ
１１  フランジ
１２  容器本体
１２Ａ  第一端部
１２Ｂ  第二端部
１３  膜状蓋
１４  開封用片
１５Ｅ  蓋体
１５Ｅ１  底壁部
１５Ｅ２  周壁部
１６Ｅ  係止段部
２１，２１Ｅ  貼着部
２１Ａ，２１ＥＡ  内側端部
２２，２２Ｅ  突出部
２３基材フィルム
２４  粘着層
２５  挿通孔
２８  接続部
Ｄ１  縦方向（一方向）
Ｄ２  横方向（直交方向）
【図１】
2020170076.tif 000003
【図２】
2020170076.tif 000004
【図３】
2020170076.tif 000005
【図４】
2020170076.tif 000006
【図５】
2020170076.tif 000007
【図６】
2020170076.tif 000008